(57)【要約】【目的】封筒や紙袋を封緘するときセロテープをテープカッターで切断して使用しているが正確な寸法に切断することができず誤差が生じていた、このセロテープや粘着テープを正確な寸法に切断するためテープカッターとスケールを組み合わせテープカッターから引き出したテープの長さをスケールで測定しテープを切断する。このためほぼ正確に切断することができ封緘作業が綺麗に、早く、見栄え良くできる。【構成】テープカッター（１）の左側内部に巻尺型スケール（２）を組み込みスケール（３）をスケール引出し口（６）から引き出す、スケール（３）の先端にテープ引出し目標突起（７）を取り付ける。切断するテープの長さ分だけスケール（３）をスケール引出し口（６）から引き出す。使用するセロテープをスケール（３）の先端のテープ引出し目標突起（７）まで引き出しテープを切断する。以上のごとくテープカッター（１）とスケール（３）を組み合わせたことを特徴とする。【選択図】　図１
2004026487.tif 000002
【特許請求の範囲】
【請求項１】
（イ）テープカッター（１）の左側内部にスペースを作り巻尺型スケール（２）を組み込み、スケール（３）をテープ回転輪（４）の溝の底部を右に導き、テープ切刃（５）の下に設けたスケール引出し口（６）からスケール（３）を引き出す。引き出したスケール（３）は引き戻されず、その位置で保持される。
（ロ）引き出したスケール（３）の先端にテープ引き出し目標突起（７）を取り付ける。
（ハ）長く引き出すとスケール（３）の先端が下に折り曲がる、このためスケール支持台（８）を作成し、その上部にスケール受け溝（９）を設け、その受け溝（９）にスケール（３）を乗せ、受け溝（９）からスケールが外れないよう外れ防止具（１０）を取り付ける。
（ニ）テープカッター（１）とスケール支持台（８）の底部に固定磁石（１１）を取り付け動かないよう固定する。
以上のごとく構成されたスケール付きテープカッター
【請求項２】
（イ）テープカッター（１）の左側内部にスペースを作り巻尺型スケール（２）を組み込み、スケール（３）をテープ回転輪（４）の溝の底部を右に導き、テープ切刃（５）の下に設けたスケール引出し口（６）からスケール（３）を引き出す。引き出したスケール（３）は引き戻されず、その位置で保持される。
（ロ）引き出したスケール（３）の先端にスケール接続具（１２）を取り付ける。
（ハ）適宜な幅と長さのテープカッター固定台（１３）を用意し左端にテープ　　　カッター（１）を固定する。
（ニ）テープ引出し延長線の下のテープカッター固定台（１３）にスライド機構レール（１４）を取り付ける。
（ホ）寸法セット台（１５）の上部に、はめ込み式のテープ切刃（１６）を取り付けネジで固定する、その下にスケールを固定するためのスケール接続具固定溝（１７）を設け、そこにスケール接続具（１２）をはめ込み、寸法セット台（１５）とスケール接続具（１２）を固く接続する。
（ヘ）寸法セット台（１５）の最下部にスライド装置（１８）を設け、スライド機溝レール（１４）にはめ込み、左右にスライドし目標のテープ切断寸法にスケーール（３）を引き出し動かないようネジで固定する。
以上のごとく構成されたテープ両端カット機能とスケール付きテープカッター
【請求項３】
（イ）適宜な幅と長さのテープカッター固定台（１３）を用意し、左端にテープカッター（１）を固定する。
（ロ）テープ引出し延長線の下のテープカッター固定台（１３）にスライド機溝レール（１４）を取り付ける。
（ハ）テープカッター固定台（１３）のスライド機溝レール（１４）と平行に、スライドに支障のない手前の位置に適宜の長さの鋼尺スケール（１９）を取り付ける。
（ニ）寸法セット台（１５）の上部にテープ切刃（１６）はめ込みネジで固定し、手前側面に寸法合わせ用矢印線（２０）を記入する。
（ホ）寸法セット台（１５）の最下部にスライド装置（１８）を設け、スライド機溝レール（１４）にはめ込み左右にスライドする。
（ヘ）寸法セット台（１５）を左右にスライドし、寸法合わせ矢印線（２０）を鋼尺スケール（１９）のテープ切断寸法の目盛りに合わせ寸法セット台（１５）を動かないようネジで固定する。
以上のごとく構成された鋼尺スケール付きテープカッター
【請求項４】
（イ）適宜な幅と長さのテープカッター固定台（１３）を用意し、左端にテープカッター（１）を固定する。
（ロ）テープカッター（１）の両側面からアーム（２１）を取り付け、アーム（２１）の先端にテープ押切刃（２２）を取り付け、切断するテープの上からアーム（２１）を押し下げテープ押切刃（２２）でテープを切断する。なお、テープ押切刃（２２）は形状の違う押切刃と付け替えできる構造とする。
（ハ）切断するテープの下にはテープ押切刃受け溝（２３）を設け、この溝にテープ押切刃（２２）が入り込み。テープを完全に切断する、切断されたテープの両端はテープ付着面（２４）に付着する。なお、アーム（２１）はテープ切断後に手を離すとバネの作用で所定の位置まで戻る。
（ニ）テープ引出し延長線の下のテープカッター固定台（１３）にスライド機溝レール（１４）を取り付ける。
（ホ）テープカッター固定台（１３）のスライド機溝レール（１４）と平行にスライドに支障のない手前の位置に適宜の長さの鋼尺スケール（１９）を取り付ける。
（ヘ）寸法セット台（１５）の上部に寸法合わせ突起（２５）をはめ込みネジで固定し、手前側面に寸法合わせ用矢印線（２０）を記入する。
（ト）寸法セット台（１５）の最下部にスライド装置（１８）を設け、スライド機溝レール（１４）にはめ込み左右にスライドする。
（チ）寸法セット台（１５）を左右にスライドし、寸法合わせ矢印線（２０）を鋼尺スケール（１９）のテープ切断寸法の目盛りに合わせ寸法セット台（１５）を動かないようネジで固定する。
以上のごとく構成されたアーム押切刃とスケール付きテープカッター
【発明の詳細な説明】
【０００１】
【産業上の利用分野】
この発明はテープカッターにスケールを組み合わせ、ロール状に巻いた各種の材質や各種の幅の接着剤付きテープや粘着剤付きテープをスケールで寸法を測定し、正確な寸法に切断できるスケール付きテープカッターに関する　　ものである。
【０００２】
【従来の技術】
従来のテープカッターにはテープの長さを測定し正確な寸法にテープを切断する構造や機能のものはなく、目測でテープの長さを判断し切断していた、このため切断寸法に誤差が生じていた。
【０００３】
【発明が解決しようとする課題】
これは次のような欠点があった。
テープの長さを目測で判断し切断するため、長い寸法のテープを切断するときは誤差が生じ、切ったテープは長すぎたり、短すぎたりしていた。このため大型の封筒、紙袋などを封緘するときテープが長すぎて折り返したり、短かすぎて継ぎ貼りしなければならなかった、このため見栄えも悪く時間と労力に無駄があった。また、幅の広いテープ等はセットできずテープも正確な寸法に切断できないためテープカッターの利用範囲も限られていた。
本発明は、これらの欠点を除くためになされたものである。
【０００４】
【問題を解決する手段】
本発明はその欠点を除くため発明されたもので、それを図面について説明すれば
図１、図２（ａ−ａ’）のごとく
テープカッター（１）の左側内部にスペースを作り、そこに巻き尺型スケール（２）を組み込み、スケール（３）をテープ回転輪（４）の溝の底面を右側に導きテープ切刃（５）の下に設けたスケール引出し口（６）からスケール（３）を引き出す。引き出したスケール（３）はスケールの曲線などの抵抗により引き戻されず、その位置で保持される。
引き出したスケール（３）の先端にテープ引出し目標突起（７）を取り付ける。
スケール（３）を長く引き出だすと先端が下に折り曲がるためスケール支持台（８）を作成し、その上部に設けたスケール受け溝（９）にスケール（３）を乗せ、スケールが受け溝から外れないよう外れ防止具（１０）を取り付ける。テープカッター（１）と支持台（８）の最下部に固定磁石（１１）を　　取り付ける。
本案を使用するときは切断するテープ寸法分だけテープ引き出し口（６）からスケール（３）を引き出す。次に切断するテープをテープ引出し目標突起（７）まで引き出しテープ切刃（５）で切断する。
本発明は以上のような構成よりなるスケール付きテープカッターである。
つぎに図３、図４（ｂ−ｂ’）のごとく
テープカッター（１）の左側内部にスペースを作り、そこに巻き尺型スケール（２）を組み込み、スケール（３）をテープ回転輪（４）の溝の底面を右側に導きテープ切刃（５）の下に設けたスケール引出し口（６）からスケール（３）を引き出す。引き出したスケール（３）はスケールの曲線などの抵抗により引き戻されず、その位置で保持される。
引き出したスケール（３）の先端に寸法セット台（１５）とスケールを接続するためのスケール接続具（１２）を取り付ける。
適宜な幅と長さのテープカッター固定台（１３）を用意し、左端にテープカッター（１）を固定する。
スケール引出し延長線の下のテープカッター固定台（１３）にスライド機構レール（１４）を取り付ける。
寸法セット台（１５）の上部に、はめ込み式のテープ切刃（１６）を取り付けネジで固定し、その下にスケールを接続するためのスケール接続具固定溝（１７）を設け、スケール接続具（１２）と寸法セット台（１５）を固く接続する。寸法セット台（１５）の最下部にスライド装置（１８）を設け、スライド機溝レール（１４）にはめ込み左右にスライドしテープ切断寸法分だけスケール引出し口（６）からスケールを引き出し、寸法セット台（１５）を動かないようネジで固定する。
本案を使用するときは、寸法セット台（１５）を左右に動かし切断するテープの寸法分だけテープ引き出し口（６）からスケール（３）を引き出しネジで固定する。使用するテープをテープ回転輪から引出しテープ切刃（１６）よりも若干長く引き出し、テープ切刃（５）とテープ切刃（１６）でテープの両端を切断する。このため正確な寸法に切断することができる。
本発明は以上のごとく構成されたテープ両端カット機能とスケール付きテープカッターである。
つぎに図５、図６のごとく
適宜な幅と長さのテープカッター固定台（１３）を用意し、左端にテープカッター（１）を固定する。テープ引出し延長線の下のテープカッター固定台（１３）にスライド機溝レール（１４）を取り付ける、そのスライド機溝レール（１４）と平行にスライド操作に支障のない手前の位置に適宜の長さの鋼尺スケール（１９）を取り付ける。
寸法セット台（１５）の上部にテープ切刃（１６）をはめ込みネジで固定する、手前側面に寸法合わせ矢印線（２０）を記入し、最下部にスライド装置（１８）を設け、スライド機溝レール（１４）にはめ込み左右にスライドする。
寸法セット台（１５）を左右にスライドし寸法合わせ矢印線（２０）を鋼尺スケール（１９）のテープ切断寸法に合わせ寸法セット台（１５）を動かないようネジで固定する。
本案を使用するときは、寸法セット台（１５）の寸法合わせ矢印線（２０）を鋼尺スケール（１９）のテープ切断寸法に合わせ、寸法セット台（１５）を動かないようネジで固定する。使用するテープをテープ回転輪（４）から引き出し、テープ切刃（１６）よりも若干長く引き出しテープ切刃（５）とテープ切刃（１６）の２個のテープ切刃でテープの両端を切断する。このため切断したテープの長さは正確で何本でも同じ寸法のテープを切断することができる。
本発明は以上のごとく構成された鋼尺スケール付きテープカッターである。
つぎに図７のごとく
適宜な幅と長さのテープカッター固定台（１３）を用意し、左端にテープカッター（１）を固定する、テープカッター（１）の両側面からアーム（２１）を取り付けアーム（２１）の先端にテープ押切刃（２２）を取り付け、切断するテープの上からアーム（２１）を押し下げテープ押切刃（２２）でテ　　ープを切断する、なお、テープ押切刃（２２）は切断するテープの材質、幅等に対応した形状の押切刃と付け替えて使用できる構造とする。
テープの下にはテープ押切刃受け溝（２３）を設け、この溝にテープ押切刃（２２）が入り込みテープを完全に切断する、切断されたテープの両端はテープ付着面（２４）に付着する。なお、アーム（２１）はテープ切断後手を離すとバネの作用で所定の位置まで戻る。
テープ引出し延長線の下のテープカッター固定台（１３）にスライド機溝レール（１４）を取り付ける、このスライド機溝レール（１４）と平行にスライド操作に支障のない手前の位置に適宜の長さの鋼尺スケール（１９）を取り付ける、寸法セット台（１５）の上部に寸法合わせ突起（２５）をはめ込みネジで固定し手前側面には寸法合わせ矢印線（２０）を記入する。
寸法セット台（１５）の最下部にはスライド装置（１８）を設け、スライド機溝レール（１４）にはめ込み左右にスライドする。
寸法セット台（１５）を左右にスライドし寸法合わせ矢印線（２０）を鋼尺スケール（１９）のテープ切断寸法の目盛りに合わせ寸法セット台（１５）を動かないようネジで固定する。
本案を使用するときは、寸法セット台（１５）を左右にスライドし、寸法合わせ矢印線（２０）を鋼尺スケール（１９）のテープ切断寸法に合わせ寸法セット台（１５）を動かないようネジで固定する。使用するテープをテープ回転輪（４）から寸法合わせ突起（２５）まで引き出しアーム（２１）の先端のテープ押切刃（２２）を下に押し下げテープを切断する。切断されたテープの両端はテープ付着面（２４）に付着する。
本発明は以上のごとく構成されたアーム押切刃とスケール付きテープカッターである。
【０００５】
【作用】
本発明はテープカッターとスケールを組み合わせ、テープの切断寸法をセットし正確な寸法に何本でも切断することができる。特にテープ切刃を２個使用しテープの両端を切断する方法は誤差がなく正確な寸法に切断できるこのため各種寸法の封緘作業や包装作業がコストを安く、早く、綺麗に仕上げ　　ることができる。また、各種材質のテープや各種の幅の粘着剤付きテープや接着剤付きテープ・接着剤のないテープや糸・紐等の切断にも利用できるため各種の作業分野に活用することができる。
【０００６】
【実施例】
（イ）テープ切刃（５）、テープ切刃（１６）、寸法合わせ突起（２５）は相互に付け替えできる構造とし、テープの材質やテープの幅に対応した形状のものを付け替えて使用できる構造とする。
（ロ）テープカッター全体の幅を広げ、個々に回転するテープ回転輪（４）を複数並べて取り付け幅の異なるテープや材質の異なるテープを同時にセットし使用することができる。
（ハ）テープ切刃（５）、テープ切刃（１６）、テープ押切刃（２２）の形状はＶ字型、逆Ｖ字型，船底型、逆船底型、鋸刃型、山型等を作りテープ材質により適宜な形状のものを作成し付け替えて使用する。
（ニ）ロール状、螺旋状に巻いた各種材質の粘着剤付きテープ・接着剤付きテープや接着剤剤のないテープや薄膜、帯状の紐。ボビンに巻いた糸、紐等の切断に利用できる。
（ホ）スケール引出し口（６）の位置はテープを下に引いて切断するとき指先がスケールに接触することを防ぐため前後左右、底面に変更することができる。
（ヘ）テープカッターを高い位置で使用するときスケール目盛りを横から見て読みやすいようにスケールの刻字面を横向きに取り付けることができる。
（ト）巻尺スケール・鋼尺スケールの取り付け位置はテープカッターの側面や底面に取り付けることができる。
（チ）テープ押切刃（２２）はテープの材質、幅に対応した形状のものを作成し付け替いて使用できる構造とする。
（リ）テープ回転輪（４）の幅と外径寸法を各種テープの幅やテープの巻芯の内径寸法に合わせて数種類用意し、使用するテープの幅やテープの巻芯の内径寸法に合ったテープ回転輪（４）を選びテープカッターにセットし、各種のテープを簡単に入れ替えて使用できる。
（ヌ）テープを引き出すときのテープ回転の力を利用し、柔軟な帯状のスケール目盛りを回転させ表示枠内にテープを引き出した時のスケール目盛りの変化を表示させ巻尺型スケールを組み合わせた時と同様の利用法が見込まれる。
【０００７】
【発明の効果】
本発明は以上のような構造で、これを使用するときは、
テープカッターとスケールを組み合わせテープの切断寸法を測定し、ロール状・螺旋状に巻いた各種材質の粘着剤付きテープや接着剤付きテープ、幅の広いテープや狭いテープ、薄膜や帯状の紐。ボビンに巻いた糸・紐等を正確な寸法に何本でも切断することができる。このためコストも安く、早く、綺麗に封緘作業・包装作業・保護膜貼付作業等を仕上げることができる。また、正確な寸法に切断できるため各種の作業分野に利用が期待できる。
【図面の簡単な説明】
【図１】本発明の請求項１の側面図である。
【図２】請求項１の切断面図（ａ−ａ’）である。
【図３】本発明の請求項２の側面図である。
【図４】請求項２の切断面図（ｂ−ｂ’）である。
【図５】本発明の請求項３の側面図である。
【図６】請求項３の切断面図（ｃ−ｃ’）である。
【図７】本発明の請求項４の側面図である。
【符号の説明】
１　テープカッター　　２　巻尺型スケール　　３　スケール
４　テープ回転輪　　５　テープ切刃　　６　スケール引出し口
７　テープ引出し目標突起　　８　スケール支持台
９　スケール受け溝　　１０　スケール外れ防止具　　１１　固定磁石
１２　スケール接続具　　１３　テープカッター固定台
１４　スライド機溝レール　１５　寸法セット台　１６　テープ切刃
１７　スケール接続具固定溝　１８　スライド装置　１９　鋼尺スケール
２０　寸法合わせ矢印線　　２１　アーム　　２２　テープ押切刃
２３　テープ押切刃受け溝　　２４　テープ付着面
２５　寸法合わせ突起
【図１】
2004026487.tif 000003
【図２】
2004026487.tif 000004
【図３】
2004026487.tif 000005
【図４】
2004026487.tif 000006
【図５】
2004026487.tif 000007
【図６】
2004026487.tif 000008
【図７】
2004026487.tif 000009